(57)【要約】【課題】フレームバッファを介することなくＯＳＤ機能を実現することができる画像情報処理装置を提供する。【解決手段】  デコーダ１２１、ＯＳＤ信号生成回路１２２、２つのラインバッファ（１２３、１２４）、ＹＵＶ→ＲＧＢ変換回路１２５、セレクタ１２６及びＤＡコンバータ１２７などを有している。ＯＳＤ信号生成回路１２２は、映像情報と同じ解像度のオンスクリーン情報と、水平同期及び垂直同期のタイミングが映像信号と等しくなるような同期情報とを含むＯＳＤ信号を生成する。セレクタ１２６は、映像信号及びＯＳＤ信号に基づいて、映像情報にオンスクリーン情報を重ねた画像情報が含まれる画像信号を生成する。この場合は、フレームバッファがなくても、高解像度のオンスクリーン情報を映像情報に重ねることができる。【選択図】図４
2011081099.tif 000002
【特許請求の範囲】
【請求項１】
主となる映像情報にオンスクリーン情報を重畳させる画像処理装置であって、
前記映像情報が含まれる映像信号に基づいて、前記映像情報と同じ解像度の前記オンスクリーン情報と、水平同期及び垂直同期のタイミングが前記映像信号と等しくなるような同期情報とを含むオンスクリーン信号を生成するＯＳＤ信号生成装置と；
前記映像信号及び前記オンスクリーン信号に基づいて、前記映像情報に前記オンスクリーン情報を重ねた画像情報が含まれる画像信号を生成する画像信号生成装置と；を備える画像処理装置。
【請求項２】
前記オンスクリーン信号は、オンスクリーン情報の位置を示すマスク情報を含むことを特徴とする請求項１に記載の画像処理装置。
【請求項３】
前記画像信号生成装置は、前記マスク情報に応じて、前記映像信号及び前記オンスクリーン信号の一方を選択するセレクタ回路を含むことを特徴とする請求項２に記載の画像処理装置。
【請求項４】
前記オンスクリーン信号は、オンスクリーン情報の位置毎の透過率情報を含むことを特徴とする請求項１〜３のいずれか一項に記載の画像処理装置。
【請求項５】
前記同期情報は、前記映像信号における有効映像区間の開始を示すＳＡＶコード、及び有効映像区間の終了を示すＥＡＶコードを含むことを特徴とする請求項１〜４のいずれか一項に記載の画像処理装置。
【請求項６】
請求項１〜５のいずれか一項に記載の画像処理装置と；
前記画像処理装置からの画像信号に基づいて画像情報を表示する画像形成装置と；を備える画像表示装置。
【請求項７】
圧縮されている映像情報を取得する映像情報取得装置と；
前記映像情報取得装置で取得された映像情報を復号する復号装置と；
前記復号装置で復号された映像情報にオンスクリーン情報を重畳させる請求項１〜５のいずれか一項に記載の画像処理装置と；を備える情報再生装置。
【請求項８】
前記映像情報取得装置は、光記録媒体に記録されている映像情報を読み出すための光ディスク装置を含むことを特徴とする請求項７に記載の情報再生装置。
【請求項９】
前記映像情報取得装置は、ネットワークを介して映像情報を取得するための通信制御装置を含むことを特徴とする請求項７に記載の情報再生装置。
【請求項１０】
前記映像情報は、放送局から配信された映像情報であり、
映像情報取得装置は、チューナを含むことを特徴とする請求項７に記載の情報再生装置。
【請求項１１】
前記オンスクリーン情報の表示、及び前記オンスクリーン情報の内容をユーザが指示するための入力装置を備えることを特徴とする請求項７〜１０のいずれか一項に記載の情報再生装置。
【請求項１２】
請求項７〜１１のいずれか一項に記載の情報再生装置と；
該情報再生装置からの画像信号に基づいて画像情報を表示する画像形成装置と；を備えるシステム。
【発明の詳細な説明】
【技術分野】
【０００１】
本発明は、画像処理装置、画像表示装置、情報再生装置及びシステムに係り、更に詳しくは、主となる映像情報にオンスクリーン情報を重畳させる画像処理装置、該画像処理装置を有する画像表示装置及び情報再生装置、並びに該情報再生装置を備えるシステムに関する。
【背景技術】
【０００２】
主となる映像情報にメニューなどのオンスクリーン情報を重畳させてディスプレイに表示させる機能は、ＯＳＤ（オン・スクリーン・ディスプレイ）機能として知られている。
【０００３】
このＯＳＤ機能は、テレビ受像機、デジタルカメラ、プロジェクタ、及びビデオ再生機など多くの映像機器に付加されている（例えば、特許文献１〜３参照）。
【０００４】
近年、映像機器における表示画面が大画面化する傾向にある。そして、それに伴って、オンスクリーン情報に対して高い画像品質、すなわち、高い解像度が要求されるようになった。
【０００５】
ＯＳＤ機能を実現するためのＯＳＤ装置は、オンスクリーン表示データを格納するためのフレームバッファを有していた。この場合に、オンスクリーン情報の解像度を高くするには、フレームバッファの容量を大きくする必要があった。例えば、１フレーム分のフレームバッファの容量は、輝度８ｂｉｔでＹｃｂＣｒ４：２：２形式のＸＧＡ解像度（１０２４×７６８）では１．５Ｍｂｙｔｅとなり、データ量が大きいため外付けのメモリが必要になり、高コスト化、大型化を招くという不都合があった。
【０００６】
そこで、例えば、特許文献４には、メモリ量を削減することを目的としたオンスクリーン装置が開示されている。
【発明の概要】
【発明が解決しようとする課題】
【０００７】
しかしながら、特許文献４に開示されているオンスクリーン装置でも、ある程度の容量をもったフレームバッファが必要であり、上記不都合を解消するのは困難であった。
【０００８】
本発明は、かかる事情の下になされたもので、その第１の目的は、フレームバッファを介することなくＯＳＤ機能を実現することができる画像情報処理装置を提供することにある。
【０００９】
また、本発明の第２の目的は、高コスト化及び大型化を招くことなく、オンスクリーン情報を高い画像品質で表示することができる画像表示装置を提供することにある。
【００１０】
また、本発明の第３の目的は、高コスト化及び大型化を招くことなく、映像情報を高い画像品質で再生することができる情報再生装置及びシステムを提供することにある。
【課題を解決するための手段】
【００１１】
本発明は、第１の観点からすると、主となる映像情報にオンスクリーン情報を重畳させる画像処理装置であって、前記映像情報が含まれる映像信号に基づいて、前記映像情報と同じ解像度の前記オンスクリーン情報と、水平同期及び垂直同期のタイミングが前記映像信号と等しくなるような同期情報とを含むオンスクリーン信号を生成するＯＳＤ信号生成装置と；前記映像信号及び前記オンスクリーン信号に基づいて、前記映像情報に前記オンスクリーン情報を重ねた画像情報が含まれる画像信号を生成する画像信号生成装置と；を備える画像処理装置である。
【００１２】
これによれば、フレームバッファを介することなくＯＳＤ機能を実現することが可能となる。
【００１３】
本発明は、第２の観点からすると、本発明の画像処理装置と；前記画像処理装置からの画像信号に基づいて画像情報を表示する画像形成装置と；を備える画像表示装置である。
【００１４】
これによれば、本発明の画像処理装置を備えているため、高コスト化及び大型化を招くことなく、オンスクリーン情報を高い画像品質で表示することが可能となる。
【００１５】
本発明は、第３の観点からすると、圧縮されている映像情報を取得する映像情報取得装置と；前記映像情報取得装置で取得された映像情報を復号する復号装置と；前記復号装置で復号された映像情報にオンスクリーン情報を重畳させる本発明の画像処理装置と；を備える情報再生装置である。
【００１６】
これによれば、本発明の画像処理装置を備えているため、結果として、高コスト化及び大型化を招くことなく、映像情報を高い画像品質で再生することが可能となる。
【００１７】
本発明は、第４の観点からすると、本発明の情報再生装置と；該情報再生装置からの画像信号に基づいて画像情報を表示する画像形成装置と；を備えるシステムである。
【００１８】
これによれば、本発明の情報再生装置を備えているため、結果として、高コスト化及び大型化を招くことなく、映像情報を高い画像品質で再生することが可能となる。
【図面の簡単な説明】
【００１９】
【図１】本発明の一実施形態に係るテレビ会議システムの概略構成を説明するための図である。
【図２】図１における会議ユニットを説明するための図である。
【図３】図２における情報処理装置を説明するための図である。
【図４】図３における表示処理装置を説明するための図である。
【図５】デコーダから出力される映像信号を説明するための図である。
【図６】ＯＳＤ信号生成回路から出力されるＯＳＤ信号を説明するための図である。
【図７】ＯＳＤデータ及びマスク情報を説明するための図である。
【図８】ＯＳＤ信号及びマスク信号を説明するための図である。
【図９】セレクタの動作を説明するための図である。
【図１０】映像情報にＯＳＤデータが重畳された表示画像を説明するための図である。
【図１１】透過率情報を説明するための図である。
【図１２】ビデオシステムの概略構成を説明するための図である。
【図１３】図１２における情報処理装置を説明するための図である。
【図１４】テレビジョン装置の概略構成を説明するための図である。
【図１５】図１４における情報処理装置を説明するための図である。
【発明を実施するための形態】
【００２０】
以下、本発明の一実施形態を図１〜図１０に基づいて説明する。図１には、一実施形態に係るシステムとしてのテレビ会議システム１０の概略構成が示されている。
【００２１】
このテレビ会議システム１０は、世界中の営業拠点及び製造拠点に配置されている複数の会議ユニット１００、及び該複数の会議ユニット１００をつなぐネットワーク５００などを備えている。なお、図１では、６カ所に会議ユニット１００が配置されている場合について示しているが、これに限定されるものではない。
【００２２】
また、会議ユニット１００は、複数のネットワークを介してネットワーク５００に接続されていても良い。また、会議ユニット１００は、ワイヤレスでネットワーク５００に接続されていても良い。
【００２３】
会議ユニット１００は、一例として図２に示されるように、カメラ１０１、マイク１０２、スピーカ１０３、プロジェクタ１０５、及び情報処理装置１１０などを備えている。
【００２４】
情報処理装置１１０は、一例として図３に示されるように、主制御装置１１１、表示処理装置１２０、ハードディスク装置１４１、光ディスク装置１４２、メモリ１４３、操作装置１４４、ＩＲ受光器１４５、通信制御装置１４６、エンコーダ１４７、音声デコーダ１４８、及びＤＡコンバータ（ＤＡＣ）１４９などを備えている。なお、図３における矢印は、代表的な信号や情報の流れを示すものであり、各ブロックの接続関係の全てを表すものではない。
【００２５】
主制御装置１１１は、情報処理装置１１０の全体を制御し、ＣＰＵ、フラッシュＲＯＭ、及びＲＡＭなどから構成されている。フラッシュＲＯＭには、ＣＰＵにて解読可能なコードで記述された複数のプログラム、及びＣＰＵでの処理に用いられる各種データなどが格納されている。また、ＲＡＭは、作業用のメモリである。
【００２６】
通信制御装置１４６は、ネットワーク５００を介した他の会議ユニット１００との通信を制御する。
【００２７】
音声デコーダ１４８は、通信制御装置１４６を介して受信した他の会議ユニット１００からの音声情報をデコードする。
【００２８】
ＤＡコンバータ（ＤＡＣ）１４９は、音声デコーダ１４８の出力信号をアナログ信号に変換する。該アナログ信号は、スピーカ１０３に出力される。
【００２９】
メモリ１４３には、他の会議ユニット１００からの映像データや音声データ、他の会議ユニット１００への映像データや音声データなどが一時的に蓄積される。
【００３０】
操作装置１４４は、例えばコントロールパネルなどの入力媒体（図示省略）を備え、ユーザから入力された各種情報を主制御装置１１１などに通知する。
【００３１】
ハードディスク装置１４１は、ハードディスクと、該ハードディスクを駆動するための駆動装置などから構成されている。駆動装置は、ハードディスクにデータを記録するとともに、ハードディスクに記録されているデータを再生する。
【００３２】
光ディスク装置１４２は、光ディスク（例えば、ＤＶＤ）にデータを記録するとともに、光ディスクに記録されているデータを再生する。
【００３３】
ＩＲ受光器１４５は、リモコン送信機５２０からの光信号を受信し、主制御装置１１１などに通知する。
【００３４】
エンコーダ１４７は、カメラ１０１からの映像信号、及びマイク１０２からの音声信号をコード化する。ここでコード化された映像信号及び音声信号は、通信制御装置１４６を介して他の会議ユニット１００に送出される。
【００３５】
表示処理装置１２０は、一例として図４に示されるように、デコーダ１２１、ＯＳＤ信号生成回路１２２、２つのラインバッファ（１２３、１２４）、ＹＵＶ→ＲＧＢ変換回路１２５、セレクタ１２６及びＤＡコンバータ１２７などを有している。なお、ここでは、一例として、他の会議ユニット１００からの映像データは、Ｈ．２６４／ＡＶＣ規格に準拠して動画圧縮がなされているものとする。
【００３６】
デコーダ１２１は、いわゆるＨ．２６４デコーダであり、Ｈ．２６４／ＡＶＣ規格に準拠して動画圧縮がなされている映像信号（Ｈ．２６４ＥＳ）をデコードし、ＢＴ．６５６の規格に準拠した出力を行う。ここでは、映像データは、バス幅８ビットで、１画素１６ビットのＹＵＶ４２２形式（図５参照）で出力される。
【００３７】
デコーダ１２１から出力される映像信号には、同期信号として、図５に示されるように、ＳＡＶ（Ｓｔａｒｔ  ｏｆ  Ａｃｔｉｖｅ  Ｖｉｄｅｏ）コード、及びＥＡＶ（Ｅｎｄ  ｏｆ  Ａｃｔｉｖｅ  Ｖｉｄｅｏ）コードが付加されている。
【００３８】
また、デコーダ１２１は、映像信号に含まれる同期信号をＯＳＤ信号生成回路１２２に通知する。
【００３９】
ＯＳＤ信号生成回路１２２は、プロジェクタ１０５の画面に文字や図形を表示するためのキャラクタ・ジェネレータを備えており、操作装置１４４、ＩＲ受光器１４５及び通信制御装置１４６からの指示に応じて、映像データと同じ解像度のオンスクリーンデータ（ＯＳＤデータ）が含まれるＯＳＤ信号を生成する。なお、ＯＳＤデータはＲＧＢ形式で表されている。
【００４０】
ＯＳＤ信号生成回路１２２は、デコーダ１２１からの同期信号に基づいて、図６に示されるように、デコーダ１２１から出力される映像信号と同じ位置にＳＡＶコード及びＥＡＶコードを挿入するとともに、指定された表示位置に対応する位置にＯＳＤデータをセットして、ＯＳＤ信号を生成する。なお、ＯＳＤデータ以外のところには、ブランクデータがセットされる。
【００４１】
ＯＳＤデータ及びブランクデータは、１画素１５ビット（ビット０〜ビット１４）で表現され、１６ビット目（ビット１５）にはマスク情報がセットされる（図７参照）。
【００４２】
マスク情報は、ＯＳＤデータの位置を示し、ＯＳＤデータでは「１」がセットされ、ブランクデータでは「０」がセットされる（図７参照）。
【００４３】
ラインバッファ１２３には、デコーダ１２１からの映像信号が一時的に格納される。
【００４４】
ラインバッファ１２４には、ＯＳＤ信号生成回路１２２からのＯＳＤ信号が一時的に格納される。ここでは、一例として図８に示されるように、マスク情報のみをマスク信号として読み出せるようになっている。
【００４５】
ＹＵＶ→ＲＧＢ変換回路１２５は、ラインバッファ１２３から映像信号を取り出し、映像データをＹＵＶ形式からＲＧＢ形式に変換する。
【００４６】
セレクタ１２６は、ラインバッファ１２４からのマスク信号に基づいて、ＹＵＶ→ＲＧＢ変換回路１２５からの映像信号及びラインバッファ１２４からのＯＳＤ信号のいずれかを選択する。ここでは、一例として図９に示されるように、マスク信号が「０」のときは、映像信号が選択され、マスク信号が「１」のときは、ＯＳＤ信号が選択される。なお、セレクタ１２６では、映像信号に含まれる同期信号とＯＳＤ信号に含まれる同期信号が同じタイミングとなるように、信号のタイミング調整が、信号の選択処理に先立って行われる。
【００４７】
ＤＡコンバータ１２７は、セレクタ１２６の出力信号をプロジェクタ１０５に応じたアナログ信号に変換する。このＤＡコンバータ１２７の出力信号が、表示処理装置１２０の出力信号となる。
【００４８】
そして、一例として図１０に示されるように、映像情報に高い解像度のオンスクリーン情報が重畳された画像がプロジェクタ１０５に表示される。
【００４９】
主制御装置１１１は、ユーザの指示により、ハードディスク装置１４１のハードディスクに記録されている映像データや音声データなどを再生するとともに、他の会議ユニット１００に送出する。
【００５０】
主制御装置１１１は、ユーザの指示により、光ディスクに記録されている映像データや音声データなどを光ディスク装置１４２を介して再生するとともに、他の会議ユニット１００に送出する。
【００５１】
主制御装置１１１は、ユーザの指示により、メモリ１４３に格納されているデータを、ハードディスク装置１４１のハードディスクに記録する。
【００５２】
主制御装置１１１は、ユーザの指示により、メモリ１４３に格納されているデータを、光ディスク装置１４２を介して光ディスクに記録する。
【００５３】
以上の説明から明らかなように、本実施形態に係るテレビ会議システム１０では、情報処理装置１１０によって、本発明のシステムにおける情報再生装置が構成され、プロジェクタ１０５によって、本発明のシステムにおける画像形成装置が構成されている。
【００５４】
そして、通信制御装置１４６によって、本発明の情報再生装置における映像情報取得装置が構成され、デコーダ１２１によって、本発明の情報再生装置における復号装置が構成されている。
【００５５】
さらに、ＯＳＤ信号生成回路１２２と２つのラインバッファ（１２３、１２４）とＹＵＶ→ＲＧＢ変換回路１２５とセレクタ１２６とによって、本発明の情報再生装置における画像処理装置が構成され、操作装置１４４及びＩＲ受光器１４５によって、本発明の情報再生装置における入力装置が構成されている。
【００５６】
また、ＯＳＤ信号生成回路１２２と２つのラインバッファ（１２３、１２４）とＹＵＶ→ＲＧＢ変換回路１２５とセレクタ１２６とによって、本発明の画像表示装置における画像処理装置が構成され、プロジェクタ１０５によって、本発明の画像表示装置における画像形成装置が構成されている。
【００５７】
また、ＯＳＤ信号生成回路１２２によって、本発明の画像処理装置におけるＯＳＤ信号生成装置が構成され、セレクタ１２６によって、本発明の画像処理装置における画像信号生成装置が構成されている。
【００５８】
以上説明したように、本実施形態に係るテレビ会議システム１０によると、ＯＳＤ信号生成回路１２２は、デコーダ１２１からの同期信号に基づいて、デコーダ１２１から出力される映像信号と同じ位置にＳＡＶコード及びＥＡＶコードを挿入するとともに、指定された表示位置に対応する位置にＯＳＤデータをセットして、ＯＳＤ信号を生成する。
【００５９】
そして、セレクタ１２６は、映像情報にＯＳＤデータを重ねた画像情報が含まれる画像信号を生成する。
【００６０】
この場合は、フレームバッファがなくても、高解像度のオンスクリーン情報を映像情報に重ねることができる。すなわち、フレームバッファを介することなくＯＳＤ機能を実現することが可能である。
【００６１】
そこで、高コスト化及び大型化を招くことなく、オンスクリーン情報を高い画像品質で表示することができる。それとともに、映像情報を高い画像品質で再生することができる。
【００６２】
また、ＯＳＤ信号生成回路１２２は、ＯＳＤ信号におけるＯＳＤデータの位置を示すマスク情報をＯＳＤ信号に含ませている。この場合は、安価なセレクタを用いて、映像情報にオンスクリーン情報を重ねた画像情報が含まれる画像信号を生成することができる。そこで、更に低コスト化を図ることが可能である。
【００６３】
なお、上記実施形態では、映像情報が、Ｈ．２６４／ＡＶＣ規格に準拠して動画圧縮されている場合について説明したが、これに限定されるものではない。Ｈ．２６４／ＡＶＣ規格以外の規格に準拠して動画圧縮されている場合には、デコーダ１２１として、該規格に応じたデコーダが用いられることとなる。
【００６４】
また、上記実施形態では、デコーダ１２１から出力される映像信号における映像データがＹＵＶ４２２形式の場合について説明したが、これに限定されるものではない。
【００６５】
また、上記実施形態では、デコーダ１２１がＢＴ．６５６の規格に準拠した出力を行う場合について説明したが、これに限定されるものではない。
【００６６】
また、上記実施形態において、前記プロジェクタ１０５に代えて、モニタ（例えば、液晶モニタ、ＣＲＴモニタなど）を用いても良い。
【００６７】
また、上記実施形態において、情報処理装置１１０とプロジェクタ１０５とが一体化されていても良い。
【００６８】
また、上記実施形態において、情報処理装置１１０とスピーカ１０３とが一体化されていても良い。
【００６９】
また、上記実施形態において、プロジェクタ１０５とスピーカ１０３とが一体化されていても良い。
【００７０】
また、上記実施形態において、表示処理装置１２０に供給される映像情報が、動画圧縮されていなければ、前記デコーダ１２１はなくても良い。
【００７１】
また、上記実施形態において、デコーダ１２１から出力される映像信号に含まれる映像データがＲＧＢ形式のときは、前記ＹＵＶ→ＲＧＢ変換回路１２５はなくても良い。
【００７２】
また、上記実施形態において、プロジェクタ１０５がデジタル信号に対応している場合には、前記ＤＡコンバータ１２７はなくても良い。
【００７３】
また、上記実施形態において、表示処理装置１２０の少なくとも一部が、プロジェクタ１０５側に設けられても良い。
【００７４】
また、上記実施形態において、表示処理装置１２０の少なくとも一部が、情報処理装置１１０とは別の筐体内に収容されても良い。例えば、表示処理装置１２０をセット・トップ・ボックス（ＳＴＢ）内に収容しても良い。この場合は、従来の情報処理装置に該ＳＴＢを装着することにより、ＯＳＤ機能を容易に低コストで付加することができる。
【００７５】
また、上記実施形態において、一例として図１１に示されるように、ＯＳＤ信号に透過率情報が含まれていても良い。図１１では、ＯＳＤデータを１画素１２ビット（ビット０〜ビット１１）で表現し、１３ビット目（ビット１２）〜１５ビット目（ビット１４）に透過率情報をセットしている。この場合は、ＯＳＤデータの透過率を画素毎に８段階で指定することができる。なお、透過率情報のビット数は３ビットに限定されるものではない。また、透過率情報のビット位置も図１１に限定されるものではない。
【００７６】
また、上記実施形態において、メモリ１４３に格納されているデータを記録する必要がない場合には、前記ハードディスク装置１４１及び前記光ディスク装置１４２はなくても良い。
【００７７】
また、上記実施形態における表示処理装置１２０は、表示部を有する装置及び機器（例えば、デジタルカメラ、ビデオカメラ、携帯情報端末、ナビゲーションシステムなど）に適用することができる。
【００７８】
また、上記実施形態では、システムがテレビ会議システム１０の場合について説明したが、これに限定されるものではない。
【００７９】
例えば、図１２に示されるように、システムがインターネットからダウンロードした映像情報及び音声情報を再生するビデオシステム２００であっても良い。
【００８０】
このビデオシステム２００は、スピーカ２０３、液晶モニタ２０５、及び情報処理装置２１０などを備えている。
【００８１】
情報処理装置２１０は、一例として図１３に示されるように、主制御装置２１１、表示処理装置２２０、ハードディスク装置２４１、光ディスク装置２４２、メモリ２４３、操作装置２４４、ＩＲ受光器２４５、通信制御装置２４６、音声デコーダ２４８、及びＤＡコンバータ（ＤＡＣ）２４９などを備えている。
【００８２】
通信制御装置２４６は、インターネットとの通信を制御する。インターネットを介して各種情報を取得することができる。
【００８３】
表示処理装置２２０は、上記表示処理装置１２０と同様な構成を有し、インターネットを介して取得した映像情報にオンスクリーン情報を重ねた画像情報が含まれる画像信号を生成することができる。なお、表示処理装置２２０のデコーダには、適用されている動画圧縮規格に応じたものが使用される。
【００８４】
ハードディスク装置２４１、光ディスク装置２４２、メモリ２４３、操作装置２４４、ＩＲ受光器２４５、音声デコーダ２４８、及びＤＡコンバータ（ＤＡＣ）２４９は、それぞれ上記ハードディスク装置１４１、光ディスク装置１４２、メモリ１４３、操作装置１４４、ＩＲ受光器１４５、音声デコーダ１４８、及びＤＡコンバータ（ＤＡＣ）１４９と同等である。
【００８５】
主制御装置２１１は、ユーザの指示により、ダウンロードした映像情報及び音声情報を、ハードディスクあるいは光ディスクに記録する。
【００８６】
このように、ビデオシステム２００は、表示処理装置２２０を有しているため、高コスト化及び大型化を招くことなく、オンスクリーン情報を高い画像品質で表示することができる。それとともに、映像情報を高い画像品質で再生することができる。
【００８７】
この場合に、表示処理装置２２０の少なくとも一部が、液晶モニタ２０５側に設けられても良い。
【００８８】
また、例えば、図１４に示されるように、システムが、アンテナ５３０を介して受信した放送を再生するテレビジョン装置３００であっても良い。
【００８９】
このテレビジョン装置３００は、スピーカ３０３、液晶モニタ３０５、及び情報処理装置３１０などを備えている。
【００９０】
情報処理装置３１０は、一例として図１５に示されるように、チューナ３５３、ＡＤコンバータ（ＡＤＣ）３５４、復調回路３５５、ＴＳ（Ｔｒａｎｓｐｏｒｔ  Ｓｔｒｅａｍ）デコーダ３５６、主制御装置３１１、表示処理装置３２０、ハードディスク装置３４１、メモリ３４３、操作装置３４４、ＩＲ受光器３４５、音声デコーダ３４８、及びＤＡコンバータ（ＤＡＣ）３４９などを備えている。
【００９１】
チューナ３５３は、アンテナ５３０で受信された放送波の中から、予め設定されているチャンネルの放送を選局する。
【００９２】
ＡＤＣ３５４は、チューナ３５３の出力信号（アナログ情報）をデジタル情報に変換する。
【００９３】
復調回路３５５は、ＡＤＣ３５４からのデジタル情報を復調する。
【００９４】
ＴＳデコーダ３５６は、復調回路３５５の出力信号をＴＳデコードし、音声情報及び映像情報を分離する。
【００９５】
表示処理装置３２０は、上記表示処理装置１２０と同様な構成を有し、ＴＳデコーダ３５６からの映像情報にオンスクリーン情報を重ねた画像情報が含まれる画像信号を生成することができる。なお、表示処理装置３２０のデコーダには、適用されている動画圧縮規格に応じたものが使用される。
【００９６】
ハードディスク装置３４１、メモリ３４３、操作装置３４４、ＩＲ受光器３４５、音声デコーダ３４８、及びＤＡコンバータ（ＤＡＣ）３４９は、それぞれ上記ハードディスク装置１４１、光ディスク装置１４２、メモリ１４３、操作装置１４４、ＩＲ受光器１４５、音声デコーダ１４８、及びＤＡコンバータ（ＤＡＣ）１４９と同等である。
【００９７】
主制御装置３１１は、ユーザの指示により、受信した映像情報及び音声情報を、ハードディスクに記録する。
【００９８】
このように、テレビジョン装置３００は、表示処理装置３２０を有しているため、高コスト化及び大型化を招くことなく、オンスクリーン情報を高い画像品質で表示することができる。それとともに、映像情報を高い画像品質で再生することができる。
【００９９】
この場合に、表示処理装置３２０の少なくとも一部が、液晶モニタ３０５側に設けられても良い。
【産業上の利用可能性】
【０１００】
以上説明したように、本発明の画像処理装置によれば、フレームバッファを介することなくＯＳＤ機能を実現するのに適している。本発明の画像表示装置によれば、高コスト化及び大型化を招くことなく、オンスクリーン情報を高い画像品質で表示するのに適している。また、本発明の情報再生装置及びシステムによれば、高コスト化及び大型化を招くことなく、映像情報を高い画像品質で再生するのに適している。
【符号の説明】
【０１０１】
１０…テレビ会議システム（システム）、１０５…プロジェクタ（画像形成装置）、１１０…情報処理装置（情報再生装置）、１２０…表示処理装置、１２１…デコーダ（復号装置）、１２２…ＯＳＤ信号生成回路（ＯＳＤ信号生成装置）、１２６…セレクタ（画像信号生成装置）、１４２…光ディスク装置、１４４…操作装置（入力装置）、１４５…ＩＲ受光器（入力装置）、１４６…通信制御装置（映像情報取得装置）、２００…ビデオシステム（システム）、２０５…液晶モニタ（画像形成装置）、２１０…情報処理装置（情報再生装置）、２２０…表示処理装置、２４２…光ディスク装置、２４４…操作装置（入力装置）、２４５…ＩＲ受光器（入力装置）、２４６…通信制御装置（映像情報取得装置）、３００…テレビジョン装置（システム）、３０５…液晶モニタ（画像形成装置）、３１０…情報処理装置（情報再生装置）、３２０…表示処理装置、３４１…ハードディスク装置、３４４…操作装置（入力装置）、３４５…ＩＲ受光器（入力装置）、３５３…チューナ（映像情報取得装置）。
【先行技術文献】
【特許文献】
【０１０２】
【特許文献１】特開２００９−１４５８３０号公報
【特許文献２】特開２００６−２６１９９５号公報
【特許文献３】特開２００９−１８８８５９号公報
【特許文献４】特開２００８−１０７６０１号公報
【図１】
2011081099.tif 000003
【図２】
2011081099.tif 000004
【図３】
2011081099.tif 000005
【図４】
2011081099.tif 000006
【図５】
2011081099.tif 000007
【図６】
2011081099.tif 000008
【図７】
2011081099.tif 000009
【図８】
2011081099.tif 000010
【図９】
2011081099.tif 000011
【図１０】
2011081099.tif 000012
【図１１】
2011081099.tif 000013
【図１２】
2011081099.tif 000014
【図１３】
2011081099.tif 000015
【図１４】
2011081099.tif 000016
【図１５】
2011081099.tif 000017